(57)【特許請求の範囲】
【請求項１】
上り伝送周波数帯域内を周波数変換して帯域分割して送出する送信側信号を復調側で周波数再変換する時に帯域周波数を周波数変換前の周波数と各々一致させるＣＡＴＶ上り多重伝送システムであって、
前記上り伝送周波数帯域内を周波数変換する際に共通に使用した一つの基準周波数の信号を前記送信側信号に混合させて送出する手段を前記送信側に有し、
前記送信側信号を周波数再変換する時に前記一つの基準周波数の信号を検出する手段と、その検出された一つの基準周波数に基づいて周波数再変換を行う手段とを前記復調側に有し、
前記周波数変換時に前記基準周波数によって各変換周波数毎に周波数ロックをかけることを特徴とするＣＡＴＶ上り多重伝送システム。
【請求項２】
上り伝送周波数帯域内を周波数変換して帯域分割して送出する送信側信号を復調側で周波数再変換する時に帯域周波数を周波数変換前の周波数と各々一致させるＣＡＴＶ上り多重伝送方法であって、
前記送信側において、前記上り伝送周波数帯域内を周波数変換する際に共通に使用した一つの基準周波数の信号を前記送信側信号に混合させて送出し、
前記復調側において、前記送信側信号を周波数再変換する時に前記一つの基準周波数の信号を検出し、その検出された一つの基準周波数に基づいて周波数再変換を行い、
前記周波数変換時に前記基準周波数によって各変換周波数毎に周波数ロックをかけることを特徴とするＣＡＴＶ上り多重伝送方法。
【発明の詳細な説明】
【０００１】
【発明の属する技術分野】
本発明はＣＡＴＶ上り多重伝送システム及びその方法に関し、特に上り伝送周波数帯域内を周波数変換して帯域分割して送出した信号を、復調側で周波数再変換を行って送出するＣＡＴＶ（ｃａｂｌｅ  ｔｅｌｅｖｉｓｉｏｎ）上り多重伝送方式に関する。
【０００２】
【従来の技術】
従来、この種のＣＡＴＶ上り多重伝送方式においては、上り伝送周波数帯域内を周波数変換するアップコンバータが図５に示すような構成となっている。この図５において、アップコンバータ７は４系統の入力端子ＩＮ１〜ＩＮ４と、増幅器（ＡＭＰ）１１〜１８と、バンドパスフィルタ（ＢＰＦ：ｂａｎｄｐａｓｓ  ｆｉｌｔｅｒ）１９〜２４と、ミキサ（ＭＩＸ）２５〜２７と、混合器（ＭＩＸ）２８と、発振器（ＯＳＣ：ｏｓｃｉｌｌａｔｏｒ）（ＯＳＣ２〜ＯＳＣ４）７１〜７３と、出力端子ＯＵＴとから構成されている。
【０００３】
このアップコンバータ７の入力周波数と変換周波数との配置例を図６に示す。これら図５及び図６を用いてその動作について説明する。４系統の入力端子ＩＮ１〜ＩＮ４からそれぞれ（ｆ１−ｆ２）帯域信号が入力され、第１の系統の入力端子ＩＮ１から入力された（ｆ１−ｆ２）帯域信号はそのまま増幅器１１で増幅されて混合器２８の端子＃１に入力される。
【０００４】
第２の系統の入力端子ＩＮ２から入力された（ｆ１−ｆ２）帯域信号は、バンドパスフィルタ１９、増幅器１２を介してミキサ２５に入力され、ミキサ２５で発振器７１からのローカル周波数で帯域（Ｆ３−Ｆ４）に変換され、増幅器１３で増幅された後、基本周波数だけを通過させるバンドパスフィルタ２２を通過した後、混合器２８の端子３２に入力される。
【０００５】
第３及び４の系統の入力端子ＩＮ３，ＩＮ４から入力された（ｆ１−ｆ２）帯域信号も、上記の第２の系統の入力端子ＩＮ２から入力された（ｆ１−ｆ２）帯域信号と同様に、第３の系統の入力端子ＩＮ３から入力された（ｆ１−ｆ２）帯域信号は帯域（Ｆ５−Ｆ６）に、第４の系統の入力端子ＩＮ４から入力された（ｆ１−ｆ２）帯域信号は帯域（Ｆ７−Ｆ８）にそれぞれ変換されて混合器２８の端子＃３，＃４に入力される。
【０００６】
混合器２８の端子＃１〜＃４にそれぞれ入力された帯域（ｆ１−ｆ２），（Ｆ３−Ｆ４），（Ｆ５−Ｆ６），（Ｆ７−Ｆ８）の信号は混合器２８で周波数多重され、増幅器１８を介してアップコンバータ７から出力される。この時の出力帯域は（ｆ１−ｆ２）＋（Ｆ３−Ｆ４）＋（Ｆ５−Ｆ６）＋（Ｆ７−Ｆ８）となる。
【０００７】
上記のアップコンバータ７で周波数多重されて伝送されてきた信号を逆変換するダウンコンバータの構成を図７に示す。ダウンコンバータ８は入力端子ＩＮと、分配器（ＤＩＳ：ｄｉｓｔｒｉｂｕｔｅｒ）４１と、バンドパスフィルタ（ＢＰＦ）４２〜４５，４７〜４９と、増幅器（ＡＭＰ）５０〜５３，５５〜５７と、ミキサ（ＭＩＸ）５８〜６０と、発振器（ＯＳＣ２Ｄ〜ＯＳＣ４Ｄ）８１〜８３と、４系統の出力端子ＯＵＴ１〜ＯＵＴ４とから構成されている。
【０００８】
このダウンコンバータ８の入力周波数と変換周波数との配置例を図８に示す。これら図７及び図８を用いてその動作について説明する。アップコンバータ７で周波数多重された信号［帯域（ｆ１−ｆ２）＋（Ｆ３−Ｆ４）＋（Ｆ５−Ｆ６）＋（Ｆ７−Ｆ８）の信号］はダウンコンバータ８の入力側で分配器４１によって分配される。
【０００９】
分配器４１の出力端子＃１からの信号は（ｆ１−ｆ２）通過バンドパスフィルタ４２を通して増幅器５０に出力され、増幅器５０で増幅されて第１の系統の出力端子ＯＵＴ１から出力される。
【００１０】
分配器４１の出力端子＃２からの信号は（Ｆ３−Ｆ４）通過バンドパスフィルタ４３及び増幅器５１を通してミキサ５８に出力され、ミキサ５８で発振器８１からのローカル周波数で周波数変換（ｆ１−ｆ２）され、増幅器５５で増幅された後に（ｆ１−ｆ２）通過バンドパスフィルタ４７を介して第２の系統の出力端子ＯＵＴ２から出力される。
【００１１】
分配器４１の出力端子＃３，＃４からの信号も、上記の分配器４１の出力端子２からの信号と同様に、帯域（Ｆ５−Ｆ６），（Ｆ７−Ｆ８）がそれぞれ帯域（ｆ１−ｆ２）に変換されて第３及び第４の系統の出力端子ＯＵＴ３，ＯＵＴ４から出力される。
【００１２】
上述したアップコンバータ７及びダウンコンバータ８による周波数変換、周波数再変換の処理方式を従来方式１とする。
【００１３】
また、アップコンバータの他の例は図９に示すような構成となっている。この図９において、アップコンバータ９は４系統の入力端子ＩＮ１〜ＩＮ４と、増幅器（ＡＭＰ）１１〜１８と、バンドパスフィルタ（ＢＰＦ）１９〜２４と、ミキサ（ＭＩＸ）２５〜２８と、発振器（ＯＳＣ２〜ＯＳＣ４）７１〜７３と、出力端子ＯＵＴとから構成されている。
【００１４】
このアップコンバータ９の入力周波数と変換周波数との配置例を図１０に示す。これら図９及び図１０を用いてその動作について説明する。アップコンバータ９は４系統の入力端子ＩＮ１〜ＩＮ４からそれぞれ（ｆ１−ｆ２）帯域信号が入力され、第１の系統の入力端子ＩＮ１から入力した（ｆ１−ｆ２）帯域信号はそのまま増幅器１１で増幅されて混合器２８の端子＃１に入力される。
【００１５】
第２の系統の入力端子ＩＮ２から入力した（ｆ１−ｆ２）帯域信号はバンドパスフィルタ１９及び増幅器１２を介してミキサ２５に入力され、ミキサ２５で発振器７１からのローカル周波数によって帯域（Ｆ３−Ｆ４）に変換され、増幅器１３で増幅された後、基本周波数だけを通過させるバンドパスフィルタ２２を通過した後、混合器２８の端子＃２に入力される。この時、発振器７１からのローカル周波数は混合器２８の端子＃３に入力されて送出される。
【００１６】
また、第３及び第４の系統の入力端子ＩＮ３，ＩＮ４から入力された（ｆ１−ｆ２）帯域信号は、第２の系統の入力端子ＩＮ２から入力された（ｆ１−ｆ２）帯域信号と同様に、帯域が変換されて出力される。
【００１７】
つまり、第３の系統の入力端子ＩＮ３から入力された（ｆ１−ｆ２）帯域信号は帯域（Ｆ５−Ｆ６）に、第４の系統の入力端子ＩＮ４から入力された（ｆ１−ｆ２）帯域信号は帯域（Ｆ７−Ｆ８）にそれぞれ変換されて混合器２８の端子＃４，＃６に入力される。この時、発振器７２，７３からのローカル周波数は混合器２８の端子＃５，＃７にそれぞれ入力されて送出される。
【００１８】
混合器２８で周波数多重された信号は、増幅器１８を介してアップコンバータ９から出力される。この時の出力帯域は（ｆ１−ｆ２）＋（Ｆ３−Ｆ４）＋ＯＳＣ２＋（Ｆ５−Ｆ６）＋ＯＳＣ３＋（Ｆ７−Ｆ８）＋ＯＳＣ４となる。
【００１９】
上記のアップコンバータ９で周波数多重されて伝送されてきた信号を逆変換するダウンコンバータの構成を図１１に示す。ダウンコンバータ１０は入力端子ＩＮと、分配器（ＤＩＳ）４１と、バンドパスフィルタ（ＢＰＦ）４２〜４５，４７〜４９，１０１〜１０３と、増幅器（ＡＭＰ）５０〜５３，５５〜５７と、ミキサ（ＭＩＸ）５８〜６０と、検出器（ＤＥＴ：ｄｅｔｅｃｔｏｒ）１０４〜１０６と、電圧制御発振器（ＶＣＯ：Ｖｏｌｔａｇｅ  Ｃｏｎｔｒｏｌｌｅｄ  Ｏｓｃｉｌｌａｔｏｒ）（ＶＣＯ２〜ＶＣＯ４）１０７〜１０９と、４系統の出力端子ＯＵＴ１〜ＯＵＴ４とから構成されている。
【００２０】
このダウンコンバータ１０の入力周波数と変換周波数との配置例を図１２に示す。これら図１１及び図１２を用いてその動作について説明する。アップコンバータ９で周波数多重されて伝送されてきた信号［帯域（ｆ１−ｆ２）＋（Ｆ３−Ｆ４）＋ＯＳＣ２＋（Ｆ５−Ｆ６）＋ＯＳＣ３＋（Ｆ７−Ｆ８）＋ＯＳＣ４の信号］はダウンコンバータ１０の入力側で分配器４１によって分配される。
【００２１】
分配器４１の出力端子＃１からの信号は（ｆ１−ｆ２）通過バンドパスフィルタ４２を通して増幅器５０で増幅されて第１の系統の出力端子ＯＵＴ１から出力される。
【００２２】
分配器４１の出力端子＃２からの信号は（Ｆ３−Ｆ４）通過バンドパスフィルタ４３及び増幅器５１を通してミキサ５８で電圧制御発振器１０７からのローカル周波数によって周波数変換（ｆ１−ｆ２）され、増幅器５５で増幅された後、（ｆ１−ｆ２）通過バンドパスフィルタ４７を介して第２の系統の出力端子ＯＵＴ２から出力される。
【００２３】
分配器４１の出力端子＃３からの信号はＯＳＣ２周波数のバンドパスフィルタ１０１を通過した後に増幅され、検出器１０４で比較検出されて電圧制御発振器１０７を制御する。
【００２４】
分配器４１の出力端子＃４，＃６からの信号は分配器４１の出力端子２からの信号と同様に、帯域（Ｆ５−Ｆ６），（Ｆ７−Ｆ８）がそれぞれ（ｆ１−ｆ２）に変換されて第３及び第４の系統の出力端子ＯＵＴ３，ＯＵＴ４から出力される。
【００２５】
分配器４１の出力端子＃５，＃７からの信号は分配器４１の出力端子３からの信号と同様に、ＯＳＣ３，ＯＳＣ４周波数のバンドパスフィルタ１０２，１０３を通過した後に増幅され、検出器１０５，１０６で比較検出されて電圧制御発振器１０８，１０９を制御する。
【００２６】
上述したアップコンバータ９及びダウンコンバータ１０による周波数変換、周波数再変換の処理方式を従来方式２とする。
【００２７】
【発明が解決しようとする課題】
上述した従来のアップコンバータでは、従来方式１の場合、上りの変換周波数と逆変換時の基準周波数とが異なるため、上りに使用周波数偏差が生じる。受信機の受信帯域幅に余裕があれば、受信可能であるが、高速データ等の場合、受信周波数偏差によってデータエラーが発生する場合がある。
【００２８】
また、従来方式２の場合には、上記の問題を改善するために、変換帯域毎の基準周波数を各々送出するようにしているが、その基準信号によって逆変換するので、周波数偏差等が発生することはないが、変換周波数帯域と基準周波数とを送出するため、多重数に対応したそれぞれの基準周波数が必要となり、周波数帯域が広くなり、周波数利用効率が劣るという問題がある。
【００２９】
さらに、従来方式２の場合には、変換周波数と基準周波数とが同数の組合せとなっているため、多重数及び変換帯域によって周波数が重なり、システムとして実現することができない場合がある。
【００３０】
そこで、本発明の目的は上記の問題点を解消し、多重数が多い場合でも周波数利用効率を劣化させることなく、変換及び逆変換における周波数偏差の発生を防止することができるＣＡＴＶ上り多重伝送システム及びその方法を提供することにある。
【００３１】
【課題を解決するための手段】
本発明によるＣＡＴＶ上り多重伝送システムは、上り伝送周波数帯域内を周波数変換して帯域分割して送出する送信側信号を復調側で周波数再変換する時に帯域周波数を周波数変換前の周波数と各々一致させるＣＡＴＶ上り多重伝送システムであって、
前記上り伝送周波数帯域内を周波数変換する際に共通に使用した一つの基準周波数の信号を前記送信側信号に混合させて送出する手段を前記送信側に備え、
前記送信側信号を周波数再変換する時に前記一つの基準周波数の信号を検出する手段と、その検出された一つの基準周波数に基づいて周波数再変換を行う手段とを前記復調側に備え、
前記周波数変換時に前記基準周波数によって各変換周波数毎に周波数ロックをかけている。
【００３２】
本発明によるＣＡＴＶ上り多重伝送方法は、上り伝送周波数帯域内を周波数変換して帯域分割して送出する送信側信号を復調側で周波数再変換する時に帯域周波数を周波数変換前の周波数と各々一致させるＣＡＴＶ上り多重伝送方法であって、
前記送信側において、前記上り伝送周波数帯域内を周波数変換する際に共通に使用した一つの基準周波数の信号を前記送信側信号に混合させて送出し、
前記復調側において、前記送信側信号を周波数再変換する時に前記一つの基準周波数の信号を検出し、その検出された一つの基準周波数に基づいて周波数再変換を行い、
前記周波数変換時に前記基準周波数によって各変換周波数毎に周波数ロックをかけている。
【００３３】
すなわち、本発明のＣＡＴＶ上り多重伝送方式は、上り伝送周波数帯域内を周波数変換して帯域分割して送出した信号を復調側で周波数再変換する時に帯域周波数を周波数変換前の周波数と各々一致させるようにしたことを特徴とする。
【００３４】
より具体的に、本発明のＣＡＴＶ上り多重伝送方式においては、基準周波数に各多重周波数をロックすることで、アップコンバータで多重して伝送した信号をダウンコンバータで逆変換した時に、周波数偏差を生じさせないようにしているので、周波数偏差が発生しないため、データ通信エラー等を発生させることがなくなる。
【００３５】
また、多重数が増えても、基準信号キャリア数が１つだけのため、多重周波数帯域を広くもつことが可能となり、周波数利用効率を向上させることが可能である。さらに、基準キャリアが１つだけであるので、基準キャリアの検出回路が１個となり、各々基準キャリアを送る方式において、アップコンバータ及びダウンコンバ−タ各々の回路構成を小型化することが可能となる。
【００３６】
【発明の実施の形態】
次に、本発明の一実施例について図面を参照して説明する。図１は本発明の一実施例によるアップコンバータの構成を示すブロック図である。図１において、アップコンバータ１は４系統の入力端子ＩＮ１〜ＩＮ４と、増幅器（ＡＭＰ）１１〜１８と、バンドパスフィルタ（ＢＰＦ：ｂａｎｄｐａｓｓ  ｆｉｌｔｅｒ）１９〜２４と、ミキサ（ＭＩＸ）２５〜２７と、混合器（ＭＩＸ）２８と、電圧制御発振器（ＶＣＯ：Ｖｏｌｔａｇｅ  Ｃｏｎｔｒｏｌｌｅｄ  Ｏｓｃｉｌｌａｔｏｒ）（ＶＣＯ２〜ＶＣＯ５）２９〜３２と、発振器（ＯＳＣ：ｏｓｃｉｌｌａｔｏｒ）３３と、分周器（ＤＥＶ：ｄｅｖｉｄｅｒ）３４と、出力端子ＯＵＴとから構成されている。
【００３７】
図２は図１のアップコンバータ１の入力周波数及び変換周波数の配置例を示す図である。これら図１及び図２を参照して本発明の一実施例によるアップコンバータ１の動作について説明する。本発明の一実施例ではＣＡＴＶの上り信号を周波数多重する方式として４多重アップコンバート方式を用いている。
【００３８】
アップコンバータ１は４系統の入力端子ＩＮ１〜ＩＮ４からそれぞれ（ｆ１−ｆ２）帯域信号が入力されると、第１の系統の入力端子ＩＮ１から入力された（ｆ１−ｆ２）帯域信号は（ｆ１−ｆ２）のまま増幅器１１で増幅されて混合器２８の端子＃１に入力される。
【００３９】
第２の系統の入力端子ＩＮ２から入力された（ｆ１−ｆ２）帯域信号は、バンドパスフィルタ１９及び増幅器１２を介してミキサ２５に入力され、ミキサ２５で電圧制御発振器２９からのローカル周波数で帯域（Ｆ３−Ｆ４）に変換され、増幅器１３で増幅された後、基本周波数だけを通過させるバンドパスフィルタ２２を介して混合器２８の端子＃２に入力される。
【００４０】
第３及び第４の系統の入力端子ＩＮ３，ＩＮ４から入力された（ｆ１−ｆ２）帯域信号も、上記の第２の系統の入力端子ＩＮ２から入力された（ｆ１−ｆ２）帯域信号と同様に、第３の系統の入力端子ＩＮ３から入力された（ｆ１−ｆ２）帯域信号は帯域（Ｆ５−Ｆ６）に、第４の系統の入力端子ＩＮ４から入力された（ｆ１−ｆ２）帯域信号は帯域（Ｆ７−Ｆ８）にそれぞれ変換されて混合器２８の端子＃３，＃４に入力される。
【００４１】
ここで、４系統各々に対応する電圧制御発振器２９〜３１は発振器３３からのローカル周波数を分周器３４で分周した周波数を基に各ローカル周波数を生成する。電圧制御発振器３２は基準となる発振器３３からのローカル周波数を分周した信号で、アップコンバータ１から多重して出力される信号と混合して伝送することによって、図示せぬダウンコンバータで本信号を検出して比較を行い、それに基づいて基準信号を作り出すことが可能となる。
【００４２】
電圧制御発振器３２は混合器２８の端子＃５に接続され、混合器２８は各信号［帯域（ｆ１−ｆ２），（Ｆ３−Ｆ４），（Ｆ５−Ｆ６），（Ｆ７−Ｆ８），ＶＣＯ５の各信号］を混合して増幅器１８で増幅した後、出力端子ＯＵＴから図示せぬ伝送路へ送出される。
【００４３】
図３は本発明の一実施例によるダウンコンバータの構成を示すブロック図である。図３において、ダウンコンバータ４は入力端子ＩＮと、分配器（ＤＩＳ：ｄｉｓｔｒｉｂｕｔｅｒ）４１と、バンドパスフィルタ（ＢＰＦ）４２〜４９と、増幅器（ＡＭＰ）５０〜５７と、ミキサ（ＭＩＸ）５８〜６０と、電圧制御発振器（ＶＣＯ２Ｄ〜ＶＣＯ４Ｄ，ＶＣＯ６）６１〜６４と、検出器（ＤＥＴ：ｄｅｔｅｃｔｏｒ）６５と、分周器（ＤＥＶ）６６と、４系統の出力端子ＯＵＴ１〜ＯＵＴ４とから構成され、アップコンバータ１で周波数多重されて伝送されてきた信号を逆変換する。
【００４４】
図４は図３のダウンコンバータ４の入力周波数及び変換周波数の配置例を示す図である。これら図３及び図４を参照して本発明の一実施例によるダウンコンバータ４の動作について説明する。
【００４５】
アップコンバータ１で周波数多重されて伝送されてきた信号［帯域が（ｆ１−ｆ２）＋（Ｆ３−Ｆ４）＋（Ｆ５−Ｆ６）＋（Ｆ７−Ｆ８）＋ＶＣＯ５の信号］はダウンコンバータ４の入力側で分配器４１によって分配される。
【００４６】
分配器４１の出力端子＃１からの信号は（ｆ１−ｆ２）通過バンドパスフィルタ４２を通して増幅器５０に出力され、増幅器５０で増幅されて第１の系統の出力端子ＯＵＴ１から出力される。
【００４７】
分配器４１の出力端子＃２からの信号は（Ｆ３−Ｆ４）通過バンドパスフィルタ４３及び増幅器５１を通してミキサ５８に出力され、ミキサ５８で電圧制御発振器６１からのローカル周波数によって周波数変換（ｆ１−ｆ２）され、増幅器５５で増幅された後、（ｆ１−ｆ２）のバンドパスフィルタ４７を介して第２の系統の出力端子ＯＵＴ２から出力される。
【００４８】
分配器４１の出力端子＃３，＃４からの信号は、上述した出力端子＃２からの信号と同様に、（Ｆ５−Ｆ６），（Ｆ７−Ｆ８）通過バンドパスフィルタ４４，４５及び増幅器５２，５３を通してミキサ５９，６０に出力され、ミキサ５９，６０で電圧制御発振器６２，６３からのローカル周波数で周波数変換（ｆ１−ｆ２）され、増幅器５６，５７で増幅された後、（ｆ１−ｆ２）のバンドパスフィルタ４８，４９を介して第３及び第４の系統の出力端子ＯＵＴ３，ＯＵＴ４から出力される。
【００４９】
分配器４１の出力端子＃５からの信号はＶＣＯ５の通過バンドパスフィルタ４６を介して増幅器５４で増幅され、検出器６５で比較検出された後、電圧制御発振器６４（ＶＣＯ６）を制御してアップコンバータ１の基準周波数と一致させる。この一致した基準周波数の信号を分周器６６で分周して電圧制御発振器６１〜６３（ＶＣＯ２Ｄ，ＶＣＯ３Ｄ，ＶＣＯ４Ｄ）をそれぞれ制御する。
【００５０】
この制御によって、電圧制御発振器６１〜６３各々からのローカル周波数はアップコンバータ１の対応する周波数と一致するため、ダウンコンバータ４で逆変換した時にアップコンバータ１の入力信号と一致させることができる。
【００５１】
このように、上記のような構成とすることで、アップコンバータ１で多重して伝送した信号をダウンコンバータ４で逆変換した時に周波数偏差を生じさせなくすることができるので、データ通信エラー等を発生させることがなくなる。
【００５２】
また、多重数が増えても、基準信号キャリア数が１つだけのため、多重周波数帯域を広くもつことができ、周波数利用効率を向上させることができる。この場合、基準信号キャリアが１つだけのため、その基準信号キャリアを検出するための検出回路（検出器６５）が１個となり、各々基準信号キャリアを送る方式に比べてアップコンバータ１及びダウンコンバ−タ４各々の回路構成を小型化することができる。
【００５３】
【発明の効果】
以上説明したように本発明によれば、上り伝送周波数帯域内を周波数変換して帯域分割して送出した送信側信号を復調側で周波数再変換する時に帯域周波数を周波数変換前の周波数と各々一致させるＣＡＴＶ上り多重伝送システムにおいて、上り伝送周波数帯域内を周波数変換する際に共通に使用した一つの基準周波数の信号を送信側信号に混合させて送出し、その基準周波数に基づいて周波数再変換を行うことによって、多重数が多い場合でも周波数利用効率を劣化させることなく、変換及び逆変換における周波数偏差の発生を防止することができるという効果がある。
【図面の簡単な説明】
【図１】本発明の一実施例によるアップコンバータの構成を示すブロック図である。
【図２】図１のアップコンバータの入力周波数及び変換周波数の配置例を示す図である。
【図３】本発明の一実施例によるダウンコンバータの構成を示すブロック図である。
【図４】図３のダウンコンバータの入力周波数及び変換周波数の配置例を示す図である。
【図５】従来例によるアップコンバータの構成を示すブロック図である。
【図６】図５のアップコンバータの入力周波数及び変換周波数の配置例を示す図である。
【図７】従来例によるダウンコンバータの構成を示すブロック図である。
【図８】図７のダウンコンバータの入力周波数及び変換周波数の配置例を示す図である。
【図９】従来例によるアップコンバータの他の構成例を示すブロック図である。
【図１０】図９のアップコンバータの入力周波数及び変換周波数の配置例を示す図である。
【図１１】従来例によるダウンコンバータの他の構成例を示すブロック図である。
【図１２】図１１のダウンコンバータの入力周波数及び変換周波数の配置例を示す図である。
【符号の説明】
１  アップコンバータ
４  ダウンコンバータ
１１〜１８，５０〜５７  増幅器（ＡＭＰ）
１９〜２４，４２〜４９  バンドパスフィルタ（ＢＰＦ）
２５〜２７，５８〜６０  ミキサ（ＭＩＸ）
２８  混合器（ＭＩＸ）
２９〜３２，６１〜６４  電圧制御発振器（ＶＣＯ）
３３  発振器（ＯＳＣ）
３４，６６  分周器（ＤＥＶ）
４１  分配器（ＤＩＳ）
６５  検出器（ＤＥＴ）
ＩＮ１〜ＩＮ４，ＩＮ  入力端子
ＯＵＴ，ＯＵＴ１〜ＯＵＴ４  出力端子
【図１】
0003693894.tif 000002
【図２】
0003693894.tif 000003
【図３】
0003693894.tif 000004
【図４】
0003693894.tif 000005
【図５】
0003693894.tif 000006
【図６】
0003693894.tif 000007
【図７】
0003693894.tif 000008
【図８】
0003693894.tif 000009
【図９】
0003693894.tif 000010
【図１０】
0003693894.tif 000011
【図１１】
0003693894.tif 000012
【図１２】
0003693894.tif 000013